(57)【要約】【課題】容易にホースを固定すること、および、取り外すことを可能とし、また、振動を伴う場合においても、ホース固定装置からホースが脱落することのない構造を備える、タンクローリー車に用いられるホースのホース固定装置を提供する。【解決手段】このホース固定装置１は、ホース保持部材２とホース固定部材３とを有している。ホース固定部材３は、ホース保持部材２に対し上下方向にスライド可能に連結されている。【選択図】図１
2008064178.tif 000002
【特許請求の範囲】
【請求項１】
タンクローリー車に用いられるホースをタンク周囲に固定するため、タンク周囲に複数配置されるホース固定装置(2)であって、
タンク周縁部近傍に固定され上下方向に延びる支持部材(21)、および、前記支持部材(21)の下端においてホースを保持するため、略Ｕ字形状に設けられるホース掛部材(22)を有する、ホース保持部材(2)と、
前記ホース掛部材(22)においてホースを保持するため、前記ホース掛部材(22)に近づく位置と、前記ホース掛部材(22)にホースを載置または取り外すため、前記ホース掛部材(22)から遠ざかる位置との間をスライド可能に、前記支持部材(21)に取り付けられるホース固定部材(3)と、を備え、
前記ホース固定部材(3)は、前記支持部材(21)において、上下方向にスライド可能に連結されるガイド部材(31)と、
前記ホース掛部材(22)を覆うように前記ガイド部材(31)に連結され、前記ガイド部材(31)から離れるにしたがって下方に向かって傾斜するホース押え部材(32)と、を有するホース固定装置。
【発明の詳細な説明】
【技術分野】
【０００１】
この発明は、タンクローリー車に用いられるホース固定装置の構造に関する。
【背景技術】
【０００２】
ホース固定装置の採用例として、図６にタンクローリー車に用いられるホース固定装置について説明する。タンクローリー車１００には、タンクを取囲むようにホース１０１が収容配置されている。タンクの周囲には、ホース１０１を固定するためのホース固定装置２００が複数配置されている。
【０００３】
ホース固定装置２００は、図７に示すように、支持棒２０１と、支持棒２０１を支持するＵ字形状のホース受部２０２とを有し、このホース受部２０２にホース１０１を載置することにより、ホース１０１を収容・支持している。図示していないが、ゴムバンド等を用いてホース１０１をホース受部２０２に括りつけることで、ホース受部２０２へのホース１０１の固定を行なっている。なお、ホース固定装置２００としては、支持棒２０１を用いることなく、ホース受部２０２のみをタンクの周囲に取り付ける形式も採用されている。
【０００４】
ここで、タンクの周囲には、複数のホース固定装置２００が配置されていることから、全てのホース固定装置２００に対してホース１０１を固定する作業は重労働である。そのため、固定作業に対して不注意を誘発し、ホース受部２０２にホース１０１が確実に固定されないということが考えられる。また、強固にホース１０１をホース固定装置２００に固定した場合には、ホース１０１をホース固定装置２００から取り外す作業も重労働となる。
【０００５】
また、上記のようなタンクローリー車１００のような場合には、タンクローリー車の走行中の振動により、ゴムバンド等が外れる恐れがある。また、ゴムバンド等が、確実にホース受部２０２に固定されていない場合にも、ゴムバンド等が外れる恐れがある。さらに、ゴムバンド等の経年使用による劣化により、ゴムバンド等が外れる恐れもある。
【０００６】
以上、本願に係る発明についての背景の技術を、出願人の知得した一般的技術情報に基づいて説明したが、出願人の記憶する範囲において、本願の出願前までに先行技術文献情報として開示すべき情報を出願人は有しておらず、かつ、本願に先行する出願人自身の特許出願等についても認識していない。
【発明の開示】
【発明が解決しようとする課題】
【０００７】
この発明が解決しようとする課題は、タンクローリー車において、ホースを固定する場合、および、ホースを取り外す場合に、上記背景技術として説明したホース固定装置においては、ホース固定装置へのホースの固定作業よび取外し作業が非常に煩わしい点にある。また、振動を伴う場合には、ホース固定装置からホースが脱落する恐れがある点にある。したがって、この発明の目的は、タンクローリー車において、容易にホースを固定すること、および、取り外すことを可能とし、また、振動を伴う場合においても、ホース固定装置からホースが脱落することのない構造を備える、タンクローリー車に用いられるホース固定装置を提供することにある。
【課題を解決するための手段】
【０００８】
この発明に基づいたホース固定装置においては、タンクローリー車に用いられるホースを固定するためのホース固定装置であって、固定対象物に固定され上下方向に延びる支持部材、および、上記支持部材の下端においてホースを保持するため、略Ｕ字形状に設けられるホース掛部材を有する、ホース保持部材と、上記ホース掛部材においてホースを保持するため、上記ホース掛部材に近づく位置と、上記ホース掛部材にホースを載置または取り外すため、上記ホース掛部材から遠ざかる位置との間をスライド可能に、上記支持部材に取り付けられるホース固定部材と、を備えている。
【０００９】
また、上記ホース固定部材は、上記支持部材において、上下方向にスライド可能に連結されるガイド部材と、上記ホース掛部材を覆うように上記ガイド部材に連結され、上記ガイド部材から離れるにしたがって下方に向かって傾斜するホース押え部材とを有している。
【発明の効果】
【００１０】
上記構成を備えるホース固定装置によれば、ホース固定部材をホース保持部材の支持部材に沿って上下方向にスライドさせることのみで、ホース掛部材へのホースの載置、または、ホース掛部材からのホースの取外しが可能となるため、ホース固定装置へのホースの固定作業よび取外し作業を極めて容易かつ確実なものとすることができる。
【００１１】
また、ホース固定部材を自重により下方位置に位置させることで、ホース押え部材がホースに当接し、ホースをホース掛部材に固定することを可能としている。また、ホース押え部材を、ガイド部材から離れるにしたがって下方に向かう構成としている。これにより、仮にホースに振動が加わり、ホース掛部材からホースが脱落しようとした場合であっても、ホース押え部材のガイド部材との連結箇所を中心とした回転モーメントを、ガイド部材に発生させることができる。
【００１２】
その結果、この回転モーメントにより、ガイド部材そのものが回転しようとするため、ガイド部材は支持部材に沿って上昇することはない。これにより、振動が加わる場合であっても、ホース固定部材が上昇することはなく、ホース固定部材によるホースのホース掛部材への固定を確実に実現することを可能とする。
【発明を実施するための最良の形態】
【００１３】
以下、本発明に基づいた実施の形態におけるホース固定装置について、図１から図５を参照しながら説明する。なお、図１は、本実施の形態におけるホース固定装置１の全体構成を示す全体斜視図であり、図２は、図１中ＩＩ線矢視断面図であり、図３は、本実施の形態におけるホース固定装置１に採用される、ホース固定部材３の全体構成を示す全体斜視図である。
【００１４】
また、図４は、ホース掛部材２２にホースを載置または取り外すため、ホース固定部材３がホース掛部材２２から遠ざかる位置にスライドさせた状態を示す断面摸式図であり、図５は、ホース掛部材２２においてホース１０１を保持するため、ホース固定部材３のホース押え部材３２が下方位置にスライドし、ホース押え部材３２がホース１０１に当接した状態を示す図である。
【００１５】
まず、図１および図２を参照して、本実施の形態におけるホース固定装置１は、ホース保持部材２とホース固定部材３とを有している。ホース保持部材２およびホース固定部材３に用いられる材料としては、様々なものが挙げられるが、一般的に屋外で用いられることが多いため、防錆処理を施した鋼板や、ステンレス材料等が用いられる。
【００１６】
ホース保持部材２は、固定対象物５０に固定され上下方向に延びる支持部材２１、および、この支持部材２１の下端においてホースを保持するため、略Ｕ字形状に設けられるホース掛部材２２を有している。この略Ｕ字形状サイズについては、保持するホースの形状に応じて適宜選択される。
【００１７】
ホース固定部材３は、ホース保持部材２のホース掛部材２２においてホースを保持するため、ホース掛部材２２に近づく下方側の位置と、ホース掛部材２２にホースを載置するため、または、ホース掛部材２２からホースを取り外すため、ホース掛部材２２から遠ざかる上方側の位置との間をスライド可能（図２中Ｙで示す矢印の方向）に、ホース保持部材２の支持部材２１に取り付けられる。
【００１８】
次に、図３を参照して、ホース固定部材３の具体的構造について説明する。このホース固定部材３は、支持部材２１に対して上下方向にスライド可能に連結されるガイド部材３１と、ホース掛部材２２を覆うようにガイド部材３１に連結され、ガイド部材３１から離れるにしたがって下方に向かって傾斜するホース押え部材３２とを有している。本実施の形態においては、ガイド部材３１とホース押え部材３２とは、一枚のステンレス鋼板をプレス加工により一体成形しているが、ガイド部材３１とホース押え部材３２とを別部材により構成することも可能である。
【００１９】
ガイド部材３１は、本体部３１１と、この本体部３１１の側部から略９０度折れ曲がる側面部３１２と、さらに、この側面部３１２から略９０度折れ曲がる係合部３１３とを備え、本体部３１１、側面部３１２、および、係合部３１３によりコ字状の形状を呈している。ガイド部材３１がこの形状を有することにより、支持部材２１を抱きかかえるようようにして、支持部材２１を保持することを可能としている。
【００２０】
なお、ガイド部材３１の形状は、支持部材２１の形状に対応して決定されるものである。したがって、支持部材２１の円柱形状のパイプ等を用いた場合には、ガイド部材３１の形状も、この支持部材２１の円柱形状に沿った形状を採用することとなる。
【００２１】
また、本体部３１１の下端部には、ガイド部材３１から離れるにしたがって下方に向かって傾斜するプレート形状のホース押え部材３２を有している。プレート形状は一例であって、ホースを上側から押さえ込むことのできる形状であれば、どのような形状の採用も可能である。
【００２２】
また、本実施の形態において、本体部３１１の表面とホース押え部材３２の表面とにより形成される角度（θ）としては、約１００°を採用しているが、好ましい範囲としては、約９５°〜約１２０°程度である。なお、本実施の形態におけるホース固定部材３の外形寸法は、Ｌ＝１００ｍｍ、ｈ＝５０ｍｍ、Ｗ＝８０ｍｍ、ｔ＝５ｍｍ、板厚さ＝約１．６ｍｍ程度である。
【００２３】
次に、図４および図５を参照して、本実施の形態におけるホース固定装置１の使用形態について説明する。図４は、ホース掛部材２２にホース１０１を載置または取り外すため、ホース固定部材３がホース掛部材２２から遠ざかる最上段位置にスライドさせた状態を示している。ホース固定部材３をこの位置にスライドさせることで、容易に、ホース掛部材２２にホース１０１を載置すること、または、ホース１０１を取り外すことを可能とする。なお、ホース固定部材３は、使用者の保持により最上段位置が維持されることとなるが、別途簡易な機構からなるストッパ機構を設けることにより作業者の労力を軽減させることも可能である。
【００２４】
次に、図５は、ホース掛部材２２においてホース１０１を保持するため、ホース固定部材３のホース押え部材３２が下方位置にスライドし、ホース押え部材３２がホース１０１に当接した状態を示す図である。
【００２５】
（作用・効果）
以上、本実施の形態におけるホース固定装置１によれば、ホース固定部材３をホース保持部材２の支持部材２１に沿って上下方向にスライドさせることのみで、ホース掛部材２２へのホース１０１の載置、または、ホース掛部材２２からのホース１０１の取外しが可能となるため、ホース固定装置３へのホース１０１の固定作業よび取外し作業を極めて容易かつ確実なものとしている。
【００２６】
また、ホース固定部材３を自重により下方位置に位置させることで、ホース押え部材３２がホース１０１に当接し、ホース１０１をホース掛部材２２に固定することを可能としている。また、ホース押え部材３２を、ガイド部材３１から離れるにしたがって下方に向かう構成としている。これにより、仮にホース１０１に振動が加わり、ホース掛部材２２からホース１０１が脱落しようとした場合であっても、ホース押え部材３２のガイド部材３１との連結箇所を中心とした回転モーメントを、ガイド部材３１に発生させることができる。
【００２７】
その結果、この回転モーメントにより、ガイド部材３１そのものが回転しようとするため、ガイド部材３１は支持部材３１に沿って上昇することを阻止することができる。これにより、振動が加わる場合であっても、ホース固定部材３が上昇することはなく、ホース固定部材３によるホース１０１のホース掛部材２２への固定を確実に実現することができる。
【００２８】
以上のことから、本実施の形態におけるホース固定装置１を、タンクローリー車に用いられるホースをタンク周囲に固定するため、タンク周囲に複数配置されるホース固定装置として適用した場合には、ホースの固定作業が容易化が図られるとともに、ホースの固定を確実に行なうことが可能となる。また、ホースの取外し作業も容易に行なうことができる。
【００２９】
さらに、タンクローリー車のような場合には、タンクローリー車の走行中に振動が生じるが、振動が生じた場合でも、確実にホースの固定が維持されることから、走行中の安全を確保することが可能となる。
【００３０】
なお、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００３１】
【図１】この発明に基づいた実施の形態におけるホース固定装置の全体構成を示す全体斜視図である。
【図２】図１中ＩＩ線矢視断面図である。
【図３】この発明に基づいた実施の形態におけるホース固定装置に採用される、ホース固定部材の全体構成を示す全体斜視図である。
【図４】この発明に基づいた実施の形態におけるホース固定装置において、ホース掛部材にホースを載置または取り外すため、ホース固定部材がホース掛部材から遠ざかる位置にスライドさせた状態を示す断面摸式図である。
【図５】この発明に基づいた実施の形態におけるホース固定装置において、ホース掛部材においてホースを保持するため、ホース固定部材のホース押え部材が下方位置にスライドし、ホース押え部材がホースに当接した状態を示す図である。
【図６】ホース固定装置を備えたタンクローリー車の全体模式図である。
【図７】背景技術におけるホース固定装置の構造を示す図である。
【符号の説明】
【００３２】
１  ホース固定装置、２  ホース保持部材、３  ホース固定部材、２１  支持部材、２２  ホース掛部材、３１  ガイド部材、３２  ホース押え部材、５０  固定対象物、１０１  ホース、３１１  本体部、３１２  側面部、３１３  係合部。
【図１】
2008064178.tif 000003
【図２】
2008064178.tif 000004
【図３】
2008064178.tif 000005
【図４】
2008064178.tif 000006
【図５】
2008064178.tif 000007
【図６】
2008064178.tif 000008
【図７】
2008064178.tif 000009